(57)【要約】      （修正有）【課題】太陽光発電装置と蓄電池とを備えた電源からマイニングマシンへの供給電力を制御する制御装置、システム及びプログラムを提供する。【解決手段】システム１０１において、制御装置は、残量取得部と発電情報取得部と閾値決定部と指示送出部とを備える。残量取得部は、蓄電池の電池残量を取得する。発電情報取得部は、太陽光発電装置の発電量と太陽光発電装置の発電量を推定する推定情報との少なくとも一方を発電情報として取得する。閾値決定部は、発電情報に基づいて第１の閾値と第２の閾値とを決定する。指示送出部は、電池残量が第１の閾値よりも大きくなった場合に、太陽光発電装置が発電した電力を利用する指示を送出し、且つ、電池残量が第２の閾値よりも小さくなった場合に、太陽光発電装置が発電した電力を利用しない指示を送出する。【選択図】図１
2020114160.tif 000002
【特許請求の範囲】
【請求項１】
太陽光発電装置と蓄電池とを備えた電源からマイニングマシンへの供給電力を制御する制御装置であって、
残量取得部と発電情報取得部と閾値決定部と指示送出部とを備え、
前記残量取得部は、前記蓄電池の電池残量を取得可能に構成され、
前記発電情報取得部は、前記太陽光発電装置の発電量と前記太陽光発電装置の発電量を推定する推定情報との少なくとも一方を発電情報として取得可能に構成され、
前記閾値決定部は、前記発電情報に基づいて第１の閾値と第２の閾値とを決定可能に構成され、
前記指示送出部は、前記電池残量が前記第１の閾値よりも大きくなった場合に前記太陽光発電装置が発電した電力を利用する指示を送出可能に構成され、且つ、前記電池残量が前記第２の閾値よりも小さくなった場合に前記太陽光発電装置が発電した電力を利用しない指示を送出可能に構成される、
制御装置。
【請求項２】
前記電源は、前記マイニングマシンへ供給する電力を、前記蓄電池に蓄積された電力と商用電源から供給される電力とに切り替える切替装置をさらに具備し、
前記指示送出部は、前記電池残量が前記第１の閾値よりも大きくなった場合に、商用電源から蓄電池に電力供給源を切り替える指示を前記切替装置へ送出可能に構成され、且つ、前記電池残量が前記第２の閾値よりも小さくなった場合に、蓄電池から商用電源に電力供給源を切り替える指示を前記切替装置へ送出可能に構成される
請求項１に記載の制御装置。
【請求項３】
前記指示送出部は、前記電池残量が前記第１の閾値よりも大きくなった場合に前記マイニングマシンへの電源の投入指示を送出可能に構成され、且つ、前記電池残量が前記第２の閾値よりも小さくなった場合に前記マイニングマシンへの電源の切断指示を送出可能に構成される、
請求項１に記載の制御装置。
【請求項４】
前記推定情報は、時刻である、
請求項１に記載の制御装置。
【請求項５】
前記推定情報は、気象情報である、
請求項１に記載の制御装置。
【請求項６】
前記指示送出部は、前記マイニングマシンを管理する管理装置に前記投入指示と前記切断指示とを送出する、
請求項３〜請求項５のいずれか１項に記載の制御装置。
【請求項７】
前記指示送出部は、前記マイニングマシンとネットワークを介して接続され、前記ネットワークを介して前記投入指示と前記切断指示とを送出する、
請求項３〜請求項５のいずれか１項に記載の制御装置。
【請求項８】
前記残量取得部は、前記蓄電池の電池残量を測定して取得する、
請求項１〜請求項７のいずれか１項に記載の制御装置。
【請求項９】
前記残量取得部は、前記蓄電池の電池残量を測定する測定装置から取得する、
請求項１〜請求項７のいずれか１項に記載の制御装置。
【請求項１０】
マイニングマシンに電力を供給するシステムであって、
太陽光発電装置と蓄電池と制御装置とを備え、
前記制御装置は、残量取得部と発電情報取得部と閾値決定部と指示送出部とを備え、
前記残量取得部は、前記蓄電池の電池残量を取得可能に構成され、
前記発電情報取得部は、前記太陽光発電装置の発電量と前記太陽光発電装置の発電量を推定する推定情報との少なくとも一方を発電情報として取得可能に構成され、
前記閾値決定部は、前記発電情報に基づいて第１の閾値と第２の閾値とを決定可能に構成され、
前記指示送出部は、前記電池残量が前記第１の閾値よりも大きくなった場合に前記太陽光発電装置が発電した電力を利用する指示を送出可能に構成され、且つ、前記電池残量が前記第２の閾値よりも小さくなった場合に前記太陽光発電装置が発電した電力を利用しない指示を送出可能に構成される、
システム
【請求項１１】
コンピュータを、太陽光発電装置と蓄電池とを備えた電源からマイニングマシンへの供給電力を制御する制御装置として機能させるプログラムであって、
前記制御装置は、残量取得部と発電情報取得部と閾値決定部と指示送出部とを備え、
前記残量取得部は、前記蓄電池の電池残量を取得可能に構成され、
前記発電情報取得部は、前記太陽光発電装置の発電量と前記太陽光発電装置の発電量を推定する推定情報との少なくとも一方を発電情報として取得可能に構成され、
前記閾値決定部は、前記発電情報に基づいて第１の閾値と第２の閾値とを決定可能に構成され、
前記指示送出部は、前記電池残量が前記第１の閾値よりも大きくなった場合に前記太陽光発電装置が発電した電力を利用する指示を送出可能に構成され、且つ、前記電池残量が前記第２の閾値よりも小さくなった場合に前記太陽光発電装置が発電した電力を利用しない指示を送出可能に構成される、
プログラム。
【発明の詳細な説明】
【技術分野】
【０００１】
本発明は、制御装置、システム及びプログラムに関する。
【背景技術】
【０００２】
近年、仮想通貨が普及してきている。仮想通貨の多くは、マイニング（採掘）と称される計算処理を必要としている。このマイニングには、膨大な計算量が必要なことが、例えば、特許文献１に記載されている。
【先行技術文献】
【特許文献】
【０００３】
【特許文献１】特許第６３４５８７１号公報
【発明の概要】
【発明が解決しようとする課題】
【０００４】
前述したように、マイニングには、膨大な計算量が必要である。したがって、マイニングを行うマイニングマシンは、負荷が高い状態で稼働することが多く、その消費電力も大きなものとなる。
【０００５】
ところで、電力は、その多くが核燃料や化石燃料を用いて生産されているのが現実であり、消費電力の増大は、地球環境にとって好ましいものではない。
【０００６】
本発明は、かかる事情を鑑みてなされたものであり、太陽光発電装置と蓄電池とを備えた電源からマイニングマシンへの供給電力を制御する制御装置、システム及びプログラムを提供することを目的とする。
【課題を解決するための手段】
【０００７】
本発明によれば、太陽光発電装置と蓄電池とを備えた電源からマイニングマシンへの供給電力を制御する制御装置であって、残量取得部と発電情報取得部と閾値決定部と指示送出部とを備え、前記残量取得部は、前記蓄電池の電池残量を取得可能に構成され、前記発電情報取得部は、前記太陽光発電装置の発電量と前記太陽光発電装置の発電量を推定する推定情報との少なくとも一方を発電情報として取得可能に構成され、前記閾値決定部は、前記発電情報に基づいて第１の閾値と第２の閾値とを決定可能に構成され、前記指示送出部は、前記電池残量が前記第１の閾値よりも大きくなった場合に前記太陽光発電装置が発電した電力を利用する指示を送出可能に構成され、且つ、前記電池残量が前記第２の閾値よりも小さくなった場合に前記太陽光発電装置が発電した電力を利用しない指示を送出可能に構成される、制御装置が提供される。
【図面の簡単な説明】
【０００８】
【図１】本発明の実施形態に係る制御装置１を含めたシステム１０１の構成を示した図である。
【図２】本発明の実施形態に係る制御装置１を含めたシステム１０２の構成を示した図である。
【図３】本発明の実施形態に係る制御装置１を含めたシステム１０３の構成を示した図である。
【図４】本発明の実施形態に係る制御装置１を含めたシステム１０４の構成を示した図である。
【図５】本発明の実施形態に係る制御装置１を含めたシステム１０５の構成を示した図である。
【図６】制御装置１が第１の閾値及び第２の閾値を決定する動作の流れを示すフローチャートである。
【図７】制御装置１が投入指示及び切断指示を送出する動作の流れを示すフローチャートである。
【図８】制御装置１が切替指示を送出する動作の流れを示すフローチャートである。
【図９】電力量αを説明するための図である。
【図１０】太陽光発電装置２１の発電特性を示した図である。
【図１１】電力量βを説明するための図である。
【発明を実施するための形態】
【０００９】
以下、図面を用いて本発明の実施形態について説明する。以下に示す実施形態中で示した各種特徴事項は、互いに組み合わせ可能である。
【００１０】
１．構成例（１）
図１は、本発明の実施形態に係る制御装置１を含めたシステム１０１の構成を示した図である。
【００１１】
同図に示すように、システム１０１は、制御装置１、電源２、マイニングマシン３−１、マイニングマシン３−２、マイニングマシン３−ｎ、気象観測装置４及び気象情報配信サービス５を含むものである。また、制御装置１は、発電情報取得部１１、残量取得部１２、閾値決定部１３、指示送出部１４及び時計１５を有し、電源２は、太陽光発電装置２１と蓄電池２２とを有している。
【００１２】
また、マイニングマシン３−１は、１台目のマイニングマシンであり、マイニングマシン３−２は、２台目のマイニングマシンであり、マイニングマシン３−ｎは、ｎ台目のマイニングマシンである。つまり、システム１０１には、ｎ台のマイニングマシンが含まれていることとなる。なお、以下では、マイニングマシン３−１、マイニングマシン３−２、マイニングマシン３−ｎを区別しない場合には、これらをマイニングマシン３と称するものとする。
【００１３】
続いて、制御装置１について説明する。制御装置１は、太陽光発電装置２１と蓄電池２２とを備えた電源２からマイニングマシン３−１、マイニングマシン３−２、マイニングマシン３−ｎへの供給電力を制御するものであり、残量取得部と発電情報取得部と閾値決定部と指示送出部とを備える。具体的には、制御装置１は、コンピュータでプログラムを動作させ、そのコンピュータを、発電情報取得部１１、残量取得部１２、閾値決定部１３、指示送出部１４及び時計１５として機能させることで実現される。
【００１４】
発電情報取得部１１は、太陽光発電装置２１の発電量と太陽光発電装置２１の発電量を推定する推定情報との少なくとも一方を発電情報として取得するものである。ここでは、太陽光発電装置２１は、その発電量を信号として出力するものとするが、太陽光発電装置２１が発電量を信号として出力できないものであれば、太陽光発電装置２１に発電量を測定する装置を接続し、当該装置から発電情報取得部１１が発電量を取得するようにしてもよい。また、推定情報は、時計１５が計時する時刻、気象観測装置４が観測した気象情報、気象情報配信サービス５から受信した気象情報等が含まれる。
【００１５】
残量取得部１２は、蓄電池２２の電池残量を取得する。ここでは、蓄電池２２は、その電池残量を信号として出力するものとするが、蓄電池２２が電池残量を信号として出力することができないものであれば、残量取得部１２が電池残量を測定して取得するように構成してもよく、また、蓄電池２２に電池残量を測定する装置を接続し、当該装置から残量取得部１２が電池残量を取得するようにしてもよい。
【００１６】
閾値決定部１３は、発電情報に基づいて第１の閾値と第２の閾値とを決定する。第１の閾値は、マイニングマシン３の電源を投入する条件として用いる値であり、第２の閾値は、マイニングマシン３の電源を切断する条件として用いる値である。閾値決定部１３による第１の閾値と第２の閾値の決定方法については、後述する。
【００１７】
指示送出部１４は、蓄電池２２の電池残量が第１の閾値よりも大きくなった場合に太陽光発電装置２１が発電した電力を利用する指示を送出し、蓄電池２２の電池残量が第２の閾値よりも小さくなった場合に太陽光発電装置２１が発電した電力を利用しない指示を送出する。例えば、指示送出部１４は、マイニングマシン３とネットワークを介して接続され、このネットワークを介して投入指示と切断指示とを送出する。具体的には、指示送出部１４は、蓄電池２２の電池残量が第１の閾値よりも大きくなった場合にマイニングマシン３に投入指示を送出し、蓄電池２２の電池残量が第２の閾値よりも小さくなった場合にマイニングマシンの切断指示を送出する。例えば、制御装置１は、電源の投入指示をＷｏＬ（Ｗａｋｅ  ｏｎ  Ｌａｎ）により行い、電源の切断指示をリモート制御により行う。
【００１８】
時計１５は、時刻を計時する。
【００１９】
太陽光発電装置２１は、太陽電池モジュールを用いて発電を行うものである。太陽光発電装置２１の発電量に制限は無いが、マイニングマシン３の消費電力等を勘案して決定することとなる。
【００２０】
蓄電池２２は、太陽光発電装置２１が発電した電力を貯蔵するものである。蓄電池２２は、その種別や容量に制限は無いが、太陽光発電装置２１の発電量とマイニングマシン３の消費電力等を勘案して決定することとなる。
【００２１】
マイニングマシン３は、マイニングを行うもので、マイニングマシン３−１、マイニングマシン３−２、マイニングマシン３−ｎは、同一の機種であってもよく、それぞれ異なる機種であってもよい。
【００２２】
気象観測装置４は、太陽光発電装置２１の近傍に設置され、気象観測を行って気象情報を取得する。取得する気象情報としては、日射量と気温の両者を含むことが望ましいが、気温と雨量を測定する等の日射量を測定しない一般的なものであってもよい。
【００２３】
気象情報配信サービス５は、インターネットや放送網を利用して気象情報を配信するサービスであり、天候や気温の実測値と予測値、日の出時刻と日の入り時刻等を気象情報として配信するものである。
【００２４】
２．構成例（２）
図２は、本発明の実施形態に係る制御装置１を含めたシステム１０２の構成を示した図である。
【００２５】
同図に示すように、システム１０２は、制御装置１、電源２、マイニングマシン３−１、マイニングマシン３−２、マイニングマシン３−ｎ、気象観測装置４、気象情報配信サービス５及び管理装置６を含むものである。また、制御装置１は、発電情報取得部１１、残量取得部１２、閾値決定部１３、指示送出部１４及び時計１５を有し、電源２は、太陽光発電装置２１と蓄電池２２とを有している。
【００２６】
なお、システム１０２は、前述したシステム１０１と構成の一部のみが異なるものであるため、システム１０１と異なる部分のみ説明し、他の説明は省略する。
【００２７】
システム１０２は、管理装置６を有している点が、システム１０１と異なるものである。管理装置６は、マイニングマシン３を管理する装置であり、特に、マイニングマシン３の電源を管理する。このため、システム１０１の場合と異なり、指示送出部１４は、マイニングマシン３を管理する管理装置６に投入指示と切断指示とを送出する。
【００２８】
指示送出部１４は、蓄電池２２の電池残量が第１の閾値よりも大きくなった場合にマイニングマシン３に投入指示を送出し、蓄電池２２の電池残量が第２の閾値よりも小さくなった場合にマイニングマシンの切断指示を送出する。
【００２９】
管理装置６は、マイニングマシン３とネットワークを介して接続され、指示送出部１４から投入指示を受けた場合には、ネットワークを介してマイニングマシン３に投入指示を送出し、指示送出部１４から切断指示を受けた場合には、ネットワークを介してマイニングマシン３に切断指示を送出する。例えば、管理装置６は、電源の投入指示をＷｏＬ（Ｗａｋｅ  ｏｎ  Ｌａｎ）により行い、電源の切断指示をリモート制御により行う。
【００３０】
なお、管理装置６は、マイニングマシン３とネットワーク接続を行わずに、機械的にマイニングマシン３の電源を制御するように構成することも可能である。例えば、各マイニングマシン３の電源スイッチの近傍に、その電源スイッチを押下することができる可動式の機構を設置し、管理装置６がその可動式の機構を制御し、電源投入時には、各マイニングマシン３の電源スイッチを短時間押下し、電源切断時には、各マイニングマシン３の電源スイッチを長時間押下することで、各マイニングマシン３の電源の制御が可能となる。
【００３１】
３．構成例（３）
図３は、本発明の実施形態に係る制御装置１を含めたシステム１０３の構成を示した図である。
【００３２】
同図に示すように、システム１０３は、制御装置１、電源２、マイニングマシン３−１、マイニングマシン３−２、マイニングマシン３−ｎ、気象観測装置４、気象情報配信サービス５、管理装置６及び測定装置７を含むものである。また、制御装置１は、発電情報取得部１１、残量取得部１２、閾値決定部１３、指示送出部１４及び時計１５を有し、電源２は、太陽光発電装置２１と蓄電池２２とを有している。
【００３３】
なお、システム１０３は、前述したシステム１０２と構成の一部のみが異なるものであるため、システム１０２と異なる部分のみ説明し、他の説明は省略する。
【００３４】
システム１０３は、測定装置７を有している点が、システム１０２と異なるものである。測定装置７は、太陽光発電装置２１の発電量と蓄電池２２の電池残量をそれぞれ測定し、測定結果を信号として出力する装置である。このため、システム１０２の場合と異なり、発電情報取得部１１は、太陽光発電装置２１の発電量を測定装置７から取得する。同様に、残量取得部１２は、蓄電池２２の電池残量を測定装置７から取得する。
【００３５】
なお、測定装置７は、太陽光発電装置２１の発電量と蓄電池２２の電池残量のいずれか一方のみを測定するように構成することができる。この場合、測定装置７が測定の対象としなかった発電量または電池残量については、システム１０２の場合と同様の方法で、発電情報取得部１１または残量取得部１２に取得される。
【００３６】
４．構成例（４）
図４は、本発明の実施形態に係る制御装置１を含めたシステム１０４の構成を示した図である。
【００３７】
同図に示すように、システム１０４は、制御装置１、電源２、マイニングマシン３−１、マイニングマシン３−２、マイニングマシン３−ｎ、気象観測装置４、気象情報配信サービス５、管理装置６及び測定装置７を含むものである。また、制御装置１は、発電情報取得部１１、残量取得部１２、閾値決定部１３、指示送出部１４及び時計１５を有し、電源２は、太陽光発電装置２１と蓄電池２２とを有している。
【００３８】
システム１０４は、基本的には、前述したシステム１０３と同様の構成を有するが、制御装置１以外の電源２、マイニングマシン３−１、マイニングマシン３−２、マイニングマシン３−ｎ、気象観測装置４、気象情報配信サービス５、管理装置６及び測定装置７を拠点８に配置し、この拠点８と制御装置１をインターネット等のネットワークＮＴで接続しているものである。
【００３９】
また、システム１０４は、制御装置１にネットワークＮＴを介して複数の拠点８（いずれも拠点８と同様の構成を有するもの）を接続し、１つの制御装置１で複数の拠点８のマイニングマシン３の電源を制御するようにすることが可能である。
【００４０】
なお、図４においては、発電情報取得部１１と残量取得部１２と指示送出部１４のそれぞれがネットワークＮＴと接続されるように示しているが、実際には、図示しない通信部等を介して、発電情報取得部１１と残量取得部１２と指示送出部１４のそれぞれがネットワークＮＴと接続される。
【００４１】
同様に、図４においては、気象観測装置４と管理装置６と測定装置７のそれぞれがネットワークＮＴと接続されるように示しているが、実際には、図示しないゲートウェイ等を介して、気象観測装置４と管理装置６と測定装置７のそれぞれがネットワークＮＴと接続される。
【００４２】
５．構成例（５）
図５は、本発明の実施形態に係る制御装置１を含めたシステム１０５の構成を示した図である。
【００４３】
同図に示すように、システム１０５は、制御装置１、電源２、マイニングマシン３−１、マイニングマシン３−２、マイニングマシン３−ｎ、気象観測装置４及び気象情報配信サービス５を含むものである。また、制御装置１は、発電情報取得部１１、残量取得部１２、閾値決定部１３、指示送出部１４及び時計１５を有し、電源２は、太陽光発電装置２１と蓄電池２２と切替装置２３とを有している。
【００４４】
なお、システム１０５は、前述したシステム１０１と構成の一部のみが異なるものであるため、システム１０１と異なる部分のみ説明し、他の説明は省略する。
【００４５】
システム１０５は、電源２が切替装置２３を有している点が、システム１０１と異なるものである。切替装置２３は、マイニングマシン３へ供給する電力の供給源を、蓄電池２２と商用電源のいずれかへ切り替える。
指示送出部１４は、蓄電池２２の電池残量が第１の閾値よりも大きくなった場合に、マイニングマシン３へ供給する電力の供給源を商用電源から蓄電池２２へ切り替える切替指示を切替装置２３へ送出し、蓄電池２２の電池残量が第２の閾値よりも小さくなった場合に、マイニングマシン３へ供給する電力の供給源を蓄電池２２から商用電源へ切り替える切替指示を切替装置２３へ送出する。
なお、前述したシステム１０２（図２参照）、システム１０３（図３参照）及びシステム１０４（図４参照）のいずれも、電源２に切替装置２３を設けて、指示送出部１４から切替装置２３に切替指示を送出するように構成することも可能である。
【００４６】
６．制御装置１の動作
次に、制御装置１の動作について説明する。制御装置１の動作は、大別すると、第１の閾値及び第２の閾値を決定する動作と、投入指示及び切断指示を送出する動作がある。ここでは、それぞれの動作について説明する。
【００４７】
図６は、制御装置１が第１の閾値及び第２の閾値を決定する動作の流れを示すフローチャートである。
【００４８】
（Ｓ１０１）
発電情報取得部１１が発電情報を取得する。
【００４９】
（Ｓ１０２）
閾値決定部１３が第１の閾値を決定する。
【００５０】
（Ｓ１０３）
閾値決定部１３が第２の閾値を決定する。
【００５１】
このＳ１０１からＳ１０３の動作は、所定の間隔で繰り返される。なお、この間隔は、一定である必要は無いが、一定であってもよい。
【００５２】
図７は、制御装置１が投入指示及び切断指示を送出する動作の流れを示すフローチャートである。なお、ここで説明する動作は、システム１０５（図５参照）の制御装置１には適用されない。
【００５３】
（Ｓ２０１）
残量取得部１２が蓄電池２２の電池残量を取得する。
【００５４】
（Ｓ２０２でＹＥＳ、Ｓ２０３でＹＥＳ、Ｓ２０４）
対象となるマイニングマシン３が停止中で、蓄電池２２の電池残量の値が第１の閾値よりも大きければ、指示送出部１４がマイニングマシン３または管理装置６に投入指示を送出する。
【００５５】
（Ｓ２０２でＹＥＳ、Ｓ２０３でＮＯ）
対象となるマイニングマシン３が停止中であっても、蓄電池２２の電池残量の値が第１の閾値以下であれば、何ら処理は行わない。
【００５６】
（Ｓ２０２でＮＯ、Ｓ２０５でＹＥＳ、Ｓ２０６でＹＥＳ、Ｓ２０７）
対象となるマイニングマシン３が稼働中で、蓄電池２２の電池残量の値が第２の閾値よりも小さければ、指示送出部１４がマイニングマシン３または管理装置６に切断指示を送出する。
【００５７】
（Ｓ２０２でＮＯ、Ｓ２０５でＹＥＳ、Ｓ２０６でＮＯ）
対象となるマイニングマシン３が稼働中であっても、蓄電池２２の電池残量の値が第２の閾値以上であれば、何ら処理は行わない。
【００５８】
図８は、制御装置１が切替指示を送出する動作の流れを示すフローチャートである。なお、ここで説明する動作は、システム１０５の制御装置１に対応するものである。
【００５９】
（Ｓ３０１）
残量取得部１２が蓄電池２２の電池残量を取得する。
【００６０】
（Ｓ３０２でＹＥＳ、Ｓ３０３でＹＥＳ、Ｓ３０４）
マイニングマシン３への電力供給を商用電源から行っており、蓄電池２２の電池残量の値が第１の閾値よりも大きければ、指示送出部１４が、マイニングマシン３への電力供給源を商用電源から蓄電池２２へ切り替える切替指示を切替装置２３へ送出する。
【００６１】
（Ｓ３０２でＹＥＳ、Ｓ３０３でＮＯ）
マイニングマシン３への電力供給を商用電源から行っていても、蓄電池２２の電池残量の値が第１の閾値以下であれば、何ら処理は行わない。
【００６２】
（Ｓ３０２でＮＯ、Ｓ３０５でＹＥＳ、Ｓ３０６でＹＥＳ、Ｓ３０７）
マイニングマシン３への電力供給を蓄電池２２から行っており、蓄電池２２の電池残量の値が第２の閾値よりも小さければ、指示送出部１４が、マイニングマシン３への電力供給源を蓄電池２２から商用電源へ切り替える切替指示を切替装置２３へ送出する。
【００６３】
（Ｓ３０２でＮＯ、Ｓ３０５でＹＥＳ、Ｓ３０６でＮＯ）
マイニングマシン３への電力供給を蓄電池２２から行っていても、蓄電池２２の電池残量の値が第２の閾値以上であれば、何ら処理は行わない。
【００６４】
７．第１の閾値
続いて、第１の閾値の決定方法の例について説明する。ここでは、発電情報取得部１１が取得する発電情報が、発電量のみを利用する場合、気象情報のみを利用する場合、時刻のみを利用する場合及び複数の情報を利用する場合のそれぞれの例について説明する。
【００６５】
発電量のみに基づいて第１の閾値を決定する場合、取得した発電量がマイニングマシン３の消費電力以下であれば、閾値決定部１３は、第１の閾値をマイニングマシン３の電源切断処理に要する電力量に所定の電力量αを加えた値とする。マイニングマシン３の消費電力は、定格値と予め実測した値のいずれかを用いることができる。また、電力量αは、例えば、図９に示すように、マイニングマシン３を一定時間（図９では３時間）可動させることができる電力である。電力量αを考慮する理由は、マイニングマシン３の電源を投入した直後にマイニングマシン３の電源を切断することになる事態を防止するためである。なお、電力量αは、任意に設定可能である。
【００６６】
また、発電量のみに基づいて第１の閾値を決定する場合、取得した発電量がマイニングマシン３の消費電力よりも大きければ、閾値決定部１３は、第１の閾値をマイニングマシン３の電源切断処理に要する電力量とする。太陽光発電装置２１の発電量がマイニングマシン３の消費電力よりも大きい場合には、蓄電池２２は、マイニングマシン３が稼働していても充電状態となるため、電力量αを考慮する必要は無い。なお、太陽光発電装置２１の発電量がマイニングマシン３の消費電力よりも大きい場合でも、電力量αまたはαよりも小さい電力量をマイニングマシン３の電源切断処理に要する電力量に加えた値を第１の閾値とすることもできる。
【００６７】
ところで、閾値決定部１３は、図６を参照して説明したように、所定の間隔で、第１の閾値を決定している。したがって、閾値決定部１３は、発電情報取得部１１が過去に取得した発電量を記憶しておき、発電量が上昇傾向にあるか下降傾向にあるかを判断し、その判断結果に基づいて電力量αの値を増減させるようにすることもできる。
【００６８】
気象情報のみに基づいて第１の閾値を決定する場合、閾値決定部１３は、まず、発電情報取得部１１が取得した気象情報に基づいて、太陽光発電装置２１の発電量の予測値を算出する。太陽光発電装置２１は、図１０に示すような発電特性を有していることから、気象情報、例えば、天候と気温から発電量の予測値を算出することができる。なお、図１０に示した発電特性は一例であり、実際の発電特性は、気温や地域、日毎に異なるものである。
【００６９】
閾値決定部１３は、算出した発電量の予測値がマイニングマシン３の消費電力以下であれば、第１の閾値をマイニングマシン３の電源切断処理に要する電力量に所定の電力量αを加えた値とする。
【００７０】
また、算出した発電量の予測値がマイニングマシン３の消費電力よりも大きければ、第１の閾値をマイニングマシン３の電源切断処理に要する電力量とする。なお、算出した発電量の予測値がマイニングマシン３の消費電力よりも大きい場合でも、電力量αまたはαよりも小さい電力量をマイニングマシン３の電源切断処理に要する電力量に加えた値を第１の閾値とすることもできる。
【００７１】
なお、気象情報に気象予報情報が含まれている場合には、その気象予報情報に基づいて電力量αの値を増減させるようにすることもできる。
【００７２】
時刻のみに基づいて第１の閾値を決定する場合、閾値決定部１３は、太陽光発電装置２１の発電量が一定以上と見込まれる時間帯には、第１の閾値をマイニングマシン３の電源切断処理に要する電力量とし、その他の時間帯には、第１の閾値をマイニングマシン３の電源切断処理に要する電力量に所定の電力量αを加えた値とする。
【００７３】
複数の情報に基づいて第１の閾値を決定する場合も、発電量またはその予測値がマイニングマシン３の消費電力以下であれば、第１の閾値をマイニングマシン３の電源切断処理に要する電力量に所定の電力量αを加えた値とし、発電量またはその予測値がマイニングマシン３の消費電力よりも大きければ、第１の閾値をマイニングマシン３の電源切断処理に要する電力量とする。
【００７４】
また、発電量と時刻に基づいて第１の閾値を決定する場合や気象情報と時刻に基づいて第１の閾値を決定する場合には、マイニングマシン３の稼働を希望する時間帯を指定し、その時間帯でのマイニングマシン３の稼働を優先するようにすることができる。これは、マイニングが競合者の多寡により成功率が変動するために、マイニングを行うのに有利な時間帯を指定することができるようにしたものである。
【００７５】
マイニングマシン３の稼働する時間帯を指定する場合、発電量またはその予測値がマイニングマシン３の消費電力以下であれば、閾値決定部１３は、第１の閾値をマイニングマシン３の電源切断処理に要する電力量に所定の電力量α及び所定の電力量βを加えた値とする。電力量βは、例えば、図１１に示すように、マイニングマシン３を指定した時間（図１１では、１４時から２２時まで）可動させることができる電力である。
【００７６】
また、マイニングマシン３の稼働する時間帯を指定する場合で、発電量またはその予測値がマイニングマシン３の消費電力よりも大きければ、閾値決定部１３は、第１の閾値をマイニングマシン３の電源切断処理に要する電力量に所定の電力量βを加えた値とする。
【００７７】
なお、ここで説明した第１の閾値の決定方法は、例であり、他の方法で第１の閾値を決定するようにしてもよい。
【００７８】
８．第２の閾値
次に、第２の閾値の決定方法の例について説明する。ここでは、前述した第１の閾値の決定方法のそれぞれに対応する場合の例について説明する。
【００７９】
発電量のみに基づいて第２の閾値を決定する場合、閾値決定部１３は、第２の閾値をマイニングマシン３の電源切断処理に要する電力量とする。
【００８０】
気象情報のみに基づいて第２の閾値を決定する場合、閾値決定部１３は、第２の閾値をマイニングマシン３の電源切断処理に要する電力量とする。
【００８１】
時刻のみに基づいて第２の閾値を決定する場合、閾値決定部１３は、第２の閾値をマイニングマシン３の電源切断処理に要する電力量とする。
【００８２】
複数の情報に基づいて第２の閾値を決定する場合、マイニングマシン３の稼働する時間帯が指定された場合を除いて、閾値決定部１３は、第２の閾値をマイニングマシン３の電源切断処理に要する電力量とする。
【００８３】
複数の情報に基づいて第２の閾値を決定する場合で、マイニングマシン３の稼働する時間帯が指定された場合は、指定された時間帯では、閾値決定部１３は、第２の閾値をマイニングマシン３の電源切断処理に要する電力量とし、指定された時間帯以外では、閾値決定部１３は、第２の閾値をマイニングマシン３の電源切断処理に要する電力量に所定の電力量βを加えた値とする。
【００８４】
なお、ここで説明した第２の閾値の決定方法は、例であり、他の方法で第２の閾値を決定するようにしてもよい。
【００８５】
以上説明した構成と処理により、制御装置１を利用することで、太陽光発電による電力を用いた場合でも、マイニングマシン３の電源の切断を適切な手順で行うことが可能となる。
【００８６】
また、その結果として、商用電源の受電設備を設置することなく、マイニングマシン３を可動させることができるといった効果をも得ることができる。
【００８７】
＜その他＞
本発明は、以下の態様でも実施可能である。
【００８８】
マイニングマシンに電力を供給するシステムであって、
太陽光発電装置と蓄電池と制御装置とを備え、
前記制御装置は、残量取得部と発電情報取得部と閾値決定部と指示送出部とを備え、
前記残量取得部は、前記蓄電池の電池残量を取得可能に構成され、
前記発電情報取得部は、前記太陽光発電装置の発電量と前記太陽光発電装置の発電量を推定する推定情報との少なくとも一方を発電情報として取得可能に構成され、
前記閾値決定部は、前記発電情報に基づいて第１の閾値と第２の閾値とを決定可能に構成され、
前記指示送出部は、前記電池残量が前記第１の閾値よりも大きくなった場合に前記太陽光発電装置が発電した電力を利用する指示を送出可能に構成され、且つ、前記電池残量が前記第２の閾値よりも小さくなった場合に前記太陽光発電装置が発電した電力を利用しない指示を送出可能に構成される、
システム。
【００８９】
コンピュータを、太陽光発電装置と蓄電池とを備えた電源からマイニングマシンへの供給電力を制御する制御装置として機能させるプログラムであって、
前記制御装置は、残量取得部と発電情報取得部と閾値決定部と指示送出部とを備え、
前記残量取得部は、前記蓄電池の電池残量を取得可能に構成され、
前記発電情報取得部は、前記太陽光発電装置の発電量と前記太陽光発電装置の発電量を推定する推定情報との少なくとも一方を発電情報として取得可能に構成され、
前記閾値決定部は、前記発電情報に基づいて第１の閾値と第２の閾値とを決定可能に構成され、
前記指示送出部は、前記電池残量が前記第１の閾値よりも大きくなった場合に前記太陽光発電装置が発電した電力を利用する指示を送出可能に構成され、且つ、前記電池残量が前記第２の閾値よりも小さくなった場合に前記太陽光発電装置が発電した電力を利用しない指示を送出可能に構成される、
プログラム。
【００９０】
また、上述のプログラムを格納する、コンピュータ読み取り可能な非一時的な記録媒体として提供してもよい。
【符号の説明】
【００９１】
１      ：制御装置
１１    ：発電情報取得部
１２    ：残量取得部
１３    ：閾値決定部
１４    ：指示送出部
１５    ：時計
２      ：電源
２１    ：太陽光発電装置
２２    ：蓄電池
２３    ：切替装置
３      ：マイニングマシン
３−１  ：マイニングマシン
３−２  ：マイニングマシン
３−ｎ  ：マイニングマシン
４      ：気象観測装置
５      ：気象情報配信サービス
６      ：管理装置
７      ：測定装置
８      ：拠点
１０１  ：システム
１０２  ：システム
１０３  ：システム
１０４  ：システム
ＮＴ    ：ネットワーク
α      ：電力量
β      ：電力量
【図１】
2020114160.tif 000003
【図２】
2020114160.tif 000004
【図３】
2020114160.tif 000005
【図４】
2020114160.tif 000006
【図５】
2020114160.tif 000007
【図６】
2020114160.tif 000008
【図７】
2020114160.tif 000009
【図８】
2020114160.tif 000010
【図９】
2020114160.tif 000011
【図１０】
2020114160.tif 000012
【図１１】
2020114160.tif 000013